(57)【要約】【課題】ふんどし本来の利点を損なうことなく、陰部が見えやすいという視覚上の問題を効果的に解消してふんどしの普及に貢献すること、また、ふんどしのバリエーションを豊富化して、ふんどしの商品価値を高めること。【解決手段】ふんどし本体１２の前垂れとなる部分１４を除いた領域の外周部に、視覚遮断機能を持つひだ１８を形成する。このひだ１８は、陰部が位置する部分の少なくとも両脇には必ず形成される。ひだ１８は、ギャザーを取り付けることによって形成することができ、ゴムを併用することによって、弛みを低減する効果、ギャザーのひだを立たせる効果も得ることができる。【選択図】図３
0003118882.tif 000002
【実用新案登録請求の範囲】
【請求項１】
ふんどし本体部の、人の陰部が位置する部分の両脇に、視覚遮断機能を持つひだが設けられていることを特徴とするふんどし。
【請求項２】
請求項１記載のふんどしであって、
前記視覚遮断機能を持つひだは、前記ふんどし本体にギャザーを取り付けることによって形成されることを特徴とするふんどし。
【請求項３】
請求項２記載のふんどしであって、
前記ふんどしは、紐部と前記ふんどし本体部とで構成される越中ふんどしであり、かつ、前記ギャザーは、前記ふんどし本体の前垂れとなる部分を除いた部分の外周部において、前記ふんどし本体部の長手方向と平行に、あるいは、前記紐部の側から前記前垂れとなる部分に向かって徐々に内側に向かうように、設けられていることを特徴とするふんどし。
【請求項４】
請求項１記載のふんどしであって、
前記視覚遮断機能をもつひだは、前記ふんどし本体部に取り付けられたゴムの収縮力によって、前記ふんどし本体部の外周部が強制的に縮められることによって形成されることを特徴とするふんどし。
【請求項５】
請求項４記載のふんどしであって、
前記ふんどしは、紐部と前記ふんどし本体部とで構成される越中ふんどしであり、かつ、前記ふんどし本体の前垂れとなる部分を除いた部分の外周部には、前記ふんどし本体部の長手方向と平行に、あるいは、前記紐部の側から前記前垂れとなる部分に向かって徐々に内側に向かうように前記ゴムが設けられていることを特徴とするふんどし。
【請求項６】
請求項１記載のふんどしであって、
前記ふんどし本体部には、前記視覚遮断機能を持つひだとなるギャザーと、そのギャザーを立たせる働きを持つゴムと、が取り付けられていることを特徴とするふんどし。
【請求項７】
請求項６記載のふんどしであって、
前記ふんどしは、紐部と前記ふんどし本体部とで構成される越中ふんどしであり、かつ、前記ふんどし本体の前垂れとなる部分を除いた部分の外周部には、前記ふんどし本体部の長手方向と平行に、あるいは、前記紐部の側から前記前垂れとなる部分に向かって徐々に内側に向かうように前記ギャザーおよびゴムが設けられていることを特徴とするふんどし。
【請求項８】
請求項２，請求項３，請求項６ならびに請求項７のいずれか記載のふんどしであって、
前記ギャザーは、ひだが外側に向いた態様にて前記ふんどし本体に取り付けられていることを特徴とするふんどし。
【考案の詳細な説明】
【技術分野】
【０００１】
本考案は、ふんどしに関する。
【背景技術】
【０００２】
ふんどしは、風通しが良くて蒸れにくく、健康的であることから未だに愛用者が多い。また、近年は、クラシックパンツという名称でも販売されており、若者や外国人にも愛用者が増えてきている。
【０００３】
特に、最近、人気の高いテレビ番組でふんどしが取り上げられ、有名デパートにて高級下着として販売されている事実が知られたことが契機となり、ふんどしブームが到来したとも言われている。
【０００４】
日本人に最も親しまれているふんどしとしては、越中ふんどしがある。図７（ａ）〜（ｃ）は、越中ふんどしの外観ならびにその締め方を説明するための図である。
【０００５】
図示されるように、越中ふんどしは、紐部１００と、その紐部に一端が取り付けられた長方形の布からなるふんどし本体部１２０と、で構成される。その締め方は、図７（ａ）に示すように、まず、ふんどし本体部１２０が臀部を覆う状態にて腰紐を結び、図７（ｂ）に示すように、ふんどし本体部１２０の布端を股をくぐらせて引き上げ、図７（ｃ）に示すように、ふんどし本体部の布を腰紐の内側に通し、布を前に垂らす。この前に垂れた部分が、前垂れ１４０となる。
【０００６】
従来、ふんどし（特に、越中ふんどし）に関しては、種々の提案がなされている。例えば、スナップや面ファスナーを利用して装着を容易化する提案（例えば、特許文献１，２参照）、小便用穴を設ける等の工夫をして実用上の利便性を向上させる提案（例えば、特許文献３）、特に若者の嗜好を考慮して意匠的な外観を変更する（ビキニ風としたり、前垂れに派手な着色を施す等）提案（例えば、特許文献４，５）、ふんどしを予め組み立ててパンツ型とする提案（例えば、特許文献６）、介護用の下半身下着に特化した改良を施す提案（特許文献７）等がなされている。
【特許文献１】実開平７−４０７０２号公報
【特許文献２】実用新案登録第３１１２３４６号公報
【特許文献３】特開２００２−２７５７０１号公報
【特許文献４】特開平９−２２８１０２号公報
【特許文献５】特開２００４−１３１９０９号公報
【特許文献６】特開２０００−７３２０１号公報
【特許文献７】実用新案登録第３０５５７８３号公報
【考案の開示】
【考案が解決しようとする課題】
【０００７】
図８は、越中ふんどしの視覚上の問題点を説明するための図（ふんどしを締めて、膝を深く曲げている人の下半身を真横から見た図）である。図８において、図７と共通する部分には、同じ参照符号を付してある。すなわち、参照符号１００は紐部であり、参照符号１２０はふんどし本体部であり、参照符号１４０は前垂れである。
【０００８】
図示されるように、ふんどしを締めている人（ふんどしユーザ）が膝を深く曲げた場合に、ふんどしにたるみＡが生じ、これと共に、陰部（陰嚢）も垂れ下がる。図８中、領域Ｂが、垂れ下がった陰部（印嚢）が位置する箇所である。したがって、横方向から見ると、陰部（陰嚢）が見えてしまう。同じことは、ふんどしユーザが椅子に座る場合にも生じ得る。
【０００９】
上記のとおり、ふんどしは、風通しが良く蒸れにくいという利点を有するが、これは、素材が通気性に富み、また、適度なたるみを有することに起因する。適度なたるみを持つ点は、ふんどしの優れた特性ではあるが、特に、しゃがんだ状態、座った状態のときに、たるみが大きくなって、その人の陰部が見えやすくなる（つまり、斜め横から他人が見れば、その人の陰部が見えてしまう）という不利益も、もたらすことになる。
【００１０】
従来からのふんどし愛好者には、そのようなことは気にしないという者が多いが、例えば、昨今のふんどしブームによってふんどしに興味を持ち、好奇心からふんどしを使用してみたいと考える若者、あるいは、ふんどしに慣れていない外国人等は、特に、異性の目を気にして羞恥心から、ふんどしの使用を避ける可能性がある。
【００１１】
また、在宅中において、ふんどし姿でくつろぎたいという場合でも、家人の目が気になるという場合もあり得る。
【００１２】
その逆に、ふんどしを締めている人の陰部が見えることによって、その者の周囲の人が、羞恥心や嫌悪感を抱く場合もあり得る。すなわち、この場合には、ふんどしの使用が、他人に不快感を与えることになる。
【００１３】
これらの対策として、たるみを少なくするために、ふんどしをきつく締めることも考えられるが、きつく締めすぎれば、内蔵を圧迫する恐れが生じる。
【００１４】
また、視覚的な観点だけではなく、フィット感（びったりとした装着感）の観点からも、ふんどしに、何らかの違和感を覚える場合もあり得る。つまり、西洋式のパンツやブリーフをに慣れた者にとっては、しゃがんだときに隙間（たるみ）ができるふんどしは、なんとなく臀部におけるフィット感に乏しいと感じられる場合もないとは言えない。
【００１５】
また、西洋式のパンツにもボックスパンツやブリーフなど種々の種類があり、また、同じブリーフであっても、肌に密着してスポーツなどに適したものもあれば、肌を圧迫しないことを優先させたものも多様にあり、使用状況や個人の好みに合わせて、適宜、使い分けることができる現状を考えると、ふんどしのバリエーションも、より豊かであった方が良いと言える。
【００１６】
このように、古来より日本人に愛されてきたふんどしに関し、通気性が良く蒸れにくいという利点を損なうことなく、陰部が見えやすいという視覚上の問題を解消することは、ふんどしの利便性を向上させ、古き良き日本の伝統的下着としてのふんどしの、より広い普及に役立つものであり、また、ふんどしのバリエーションを増やし、人の嗜好にマッチした、商品価値の高いふんどしを開発する契機ともなり得るものである。
【００１７】
なお、上記の従来の提案（特許文献１〜特許文献７）には、ふんどしが持つ、「膝を曲げたときに陰部が見えやすくなる」という性質を問題点として捉え、積極的に対策しようとする方向性が見あたらず、その点に関する示唆もない。
【００１８】
本考案はこのような考察に基づいてなされたものであり、その目的は、通気性が良く蒸れにくいという、ふんどし本来の利点を損なうことなく、陰部が見えやすいという視覚上の問題を効果的に解消して、ふんどしの普及に貢献すること、また、ふんどしのバリエーションを豊富化して、ふんどしの商品価値を高めること、にある。
【課題を解決するための手段】
【００１９】
本考案のふんどしでは、ふんどし本体部の、人の陰部が位置する部分の両脇に、視覚遮断機能を持つひだが設けられている。
【００２０】
ふんどし本体部の、陰部が位置する部分の両脇にひだが設けられ、そのひだが他人の視覚を遮るため、ふんどしユーザが膝を曲げた状態でも、陰部が見えることがない。これによって、本人は、他人の視線を気にせずに安心してふんどしを使用でき、また、その本人の周囲に居る他人に、羞恥心や不快感をもたらせることもなくなる。また、ひだの素材として、例えば、ふんどしと同じ素材を使用すれば、通気性を損なうことがなく、また、ふんどしを締めたときの感触（肌触り）も通常と変わりない。また、ひだの存在が締め具合に影響を与えることもない。また、ひだを、糸でふんどし本体に縫いつけるなどすれば、ひだの取り付け部にて違和感が生じることもない。ふんどしの種類は、特に問わない。つまり、本考案の技術思想は、越中ふんどしの他、六尺ふんどし、もっこふんどし（越中ふんどしを簡略化したもの）等に広く適用できる。また、病院では、体を動かすのがむずかしい患者のために、ふんどしを予め組み立てておき、パンツのように足だけを通すタイプのふんどし（ふんどしパンツと呼ばれることがある）が使用される場合があるが、本明細書でいう「ふんどし」には、このような、いわゆる「ふんどしパンツ」も含まれる。つまり、ベッドで寝たきりの患者にとっても、寝ている状態で、ふんどしパンツの横から陰部が見えるのは避けたいところであり、この場合も、ふんどし本体部の陰部の両脇にひだを付けることによって、他人の視線を確実に遮断することができる。
【００２１】
また、本考案のふんどしの他の態様では、前記視覚遮断機能を持つひだは、前記ふんどし本体にギャザーを取り付けることによって形成される。
【００２２】
ギャザーを、ふんどし本体に取り付けることによって、ひだを形成するものである。ギャザーとは、「着衣用の細かなひだの部分」のことである。本態様では、外付けのギャザーを用意し、そのギャザーを本体に縫いつけるなどして、ふんどし本体に取り付けたものである。ギャザーの素材、ひだの高さ等は適宜、選択、調整することができ、したがって、最適なひだ（視覚遮断機能を持つひだ）を容易に形成できる利点がある。
【００２３】
また、本考案のふんどしの他の態様では、前記ふんどしは、紐部と前記ふんどし本体部とで構成される越中ふんどしであり、かつ、前記ギャザーは、前記ふんどし本体の前垂れとなる部分を除いた部分の外周部において、前記ふんどし本体部の長手方向と平行に、あるいは、前記紐部の側から前記前垂れとなる部分に向かって徐々に内側に向かうように、設けられている。
【００２４】
越中ふんどしの本体部に、ギャザーを取り付けたものである。ギャザーは、前垂れとなる部分を除く部分の外周部（長方形の布の長辺の近傍）に設けられる。なお、前垂れとなる部分を除いた領域の全部がギャザーの取り付け対象領域となる、というわけではなく、必要な箇所にのみギャザーを設ければよいことは言うまでもない。ふんどし本体部の両脇に設けられるギャザーは、ふんどし本体部の長手方向と平行に配置してもよく、あるいは、紐部の側から前垂れとなる部分に向かって徐々に内側に向かうように所定の角度をもって配置してもよい。所定の角度をもたせて配置する場合の利点としては、ひだが陰部の近くに位置し、ひだが外から見えにくくなる点があげられる。
【００２５】
また、本考案のふんどしの他の態様では、前記視覚遮断機能をもつひだは、前記ふんどし本体部に取り付けられたゴムの収縮力によって、前記ふんどし本体部の外周部が強制的に縮められることによって形成される。
【００２６】
本態様では、ギャザーの代わりに細長いゴムを、ふんどし本体部に取り付け、そのゴムの収縮力によって、ふんどし本体部の外周部を縮れさせ、これによってひだを形成するものである。ギャザーを取り付ける場合と比べてコストの低減が可能である。また、ゴムの収縮力によって、ふんどし本体部の布を臀部や陰部に密着させ、たるみが減少する効果も得られる。
【００２７】
また、本考案のふんどしの他の態様では、前記ふんどしは、紐部と前記ふんどし本体部とで構成される越中ふんどしであり、かつ、前記ふんどし本体の前垂れとなる部分を除いた部分の外周部には、前記ふんどし本体部の長手方向と平行に、あるいは、前記紐部の側から前記前垂れとなる部分に向かって徐々に内側に向かうように前記ゴムが設けられている。
【００２８】
越中ふんどしの本体部に、ゴムを取り付けたものである。ゴムは、前垂れとなる部分を除く部分の外周部（長方形の布の長辺の近傍）に設けられる。なお、前垂れとなる部分を除いた領域の全部がゴムの取り付け対象領域となるわけではなく、必要な箇所にのみギャザーを設ければよいことは言うまでもない。ふんどし本体部の両脇に設けられるゴムは、ふんどし本体部の長手方向と平行に配置してもよく、あるいは、紐部の側から前垂れとなる部分に向かって徐々に内側に向かうように所定の角度をもって配置してもよい。ゴムを所定の角度をもたせて配置する場合の利点としては、ひだとなる布の面積が多くなって、陰部がより見えにくくなること、ならびに、ゴムが、臀部や股のラインに沿って配置されるため、自然でスムースな（ごわごわしない）密着感を生じさせることである。
【００２９】
本考案のふんどしの他の態様では、前記ふんどし本体部には、前記視覚遮断機能を持つひだとなるギャザーと、そのギャザーを立たせる働きを持つゴムと、が取り付けられている。
【００３０】
ゴムとギャザーを併用するものである。つまり、ゴムとギャザーの一部が重ねられ、この状態にてふんどし本体に縫い合わされる。この場合、ゴムの収縮力によって、ギャザーが立ち、陰部を覆い隠す効果が高まる。また、ゴムの収縮力によって、ふんどし本体部の布を臀部や陰部に密着させ、たるみが減少する効果も得られる。
【００３１】
また、本考案のふんどしの他の態様では、前記ふんどしは、紐部と前記ふんどし本体部とで構成される越中ふんどしであり、かつ、前記ふんどし本体の前垂れとなる部分を除いた部分の外周部には、前記ふんどし本体部の長手方向と平行に、あるいは、前記紐部の側から前記前垂れとなる部分に向かって徐々に内側に向かうように前記ギャザーおよびゴムが設けられている。
【００３２】
越中ふんどしの本体部に、ゴムとギャザーの双方を取り付けたものである。ゴムとギャザーは、前垂れとなる部分を除く部分の外周部（長方形の布の長辺の近傍）に設けられる。なお、前垂れとなる部分を除いた領域の全部がゴムとギャザーの取り付け対象領域となるわけではなく、必要な箇所にのみゴムとギャザーを設ければよいことは言うまでもない。ふんどし本体部の両脇に設けられるゴムとギャザーは、ふんどし本体部の長手方向と平行に配置してもよく、あるいは、紐部の側から前垂れに向かって徐々に内側に向かうように所定の角度をもって配置してもよい。ゴムとギャザーを所定の角度をもたせて配置する場合の利点としては、ゴムとギャザーが、臀部や股のラインに沿って配置され、自然でスムースな密着感が生じる点である。
【００３３】
また、本考案のふんどしの他の態様では、前記ギャザーは、ひだが外側に向いた態様にて前記ふんどし本体に取り付けられている。
【００３４】
ギャザーのひだを内側に向けると、ふんどしを締めた時にひだが内側に巻き込まれ、ひだの立ちが悪くなることがある。この点に配慮し、ギャザーのひだを外側に向けた状態にて、ふんどし本体に取り付けるものである。これによって、ひだによって陰部を覆い隠す効果が確実に得られる。
【考案の効果】
【００３５】
本考案によれば、古来より日本人に愛されてきたふんどしに関し、通気性が良く蒸れにくいという利点を損なうことなく、陰部が見えやすいという視覚上の問題を解消することができる。つまり、ふんどし本体部の、陰部が位置する部分の両脇にひだが設けられ、そのひだが他人の視覚を遮るため、ふんどしユーザが膝を曲げた状態でも、陰部が見えることがない。
【００３６】
これによって、本人は、他人の視線を気にせずに安心してふんどしを使用でき、また、その本人の周囲に居る他人に、羞恥心や不快感をもたらせることもなくなる。また、ひだの素材として、例えば、ふんどしと同じ素材を使用すれば、通気性を損なうことがなく、また、ふんどしを締めたときの感触（肌触り）も通常と変わりない。また、ひだの存在が締め具合に影響を与えることもない。また、ひだを、糸でふんどし本体に縫いつけるなどすれば、ひだの取り付け部にて違和感が生じることもない。
【００３７】
したがって、ふんどしの利便性が向上する。また、古き良き日本の伝統的下着としてのふんどしの普及に役立つ。
【００３８】
本考案は、越中ふんどしの他、六尺ふんどし、もっこふんどし（越中ふんどしを簡略化したもの）等に広く適用することができ、また、ふんどしを予め組み立てておき、パンツのように足だけを通すタイプのふんどし（ふんどしパンツ）にも適用することができる。
【００３９】
また、ふんどしのバリエーションを豊富化することができ、人の嗜好にマッチした、商品価値の高いふんどしを提供することができる。
【００４０】
また、外付けのギャザー、ゴム、あるいはギャザーとゴムの併用という、極めてシンプルかつ低コストの構成によって上記の効果を得ることができるため、実施が容易である。
【００４１】
また、ふんどし本体部の適切な位置にゴムを配置することによって、たるみを減らし、臀部や股部における布の密着度を増すことができ、ブリーフ等を履き慣れた者にとっても使用し易いふんどしを提供することができる、という効果も得られる。
【００４２】
本発明によって、通気性が良く蒸れにくいという、ふんどし本来の利点を損なうことなく、陰部が見えやすいという視覚上の問題を効果的に解消して、ふんどしの普及に貢献すること、また、ふんどしのバリエーションを豊富化して、ふんどしの商品価値を高めることができる。
【考案を実施するための最良の形態】
【００４３】
以下、本考案の実施形態について、図面を参照して説明する。以下の説明では、越中ふんどしを例にとって説明する。ただし、これに限定されるものではない。すなわち、本考案は、越中ふんどしの他、六尺ふんどし、もっこふんどし（越中ふんどしを簡略化したもの）等に広く適用することができ、また、ふんどしを予め組み立てておき、パンツのように足だけを通すタイプのふんどし（ふんどしパンツ）にも適用することができる。
（第１の実施形態）
【００４４】
図１は、本考案のふんどしの重要な特徴を説明するための図である。
【００４５】
図示されるように、越中ふんどし５０は、紐部１０と、この紐部１０に一端が取り付けられた長方形の布からなる、ふんどし本体部１２と、により構成される。ふんどし本体部１２の先端部分は、前垂れとなる部分（参照符号１４）である。
【００４６】
そして、本考案の越中ふんどし５０では、ふんどしを締めた時に陰部が位置する（当接する）部分（図１中の参照符号１５）の、少なくともその両脇（すなわち、ふんどし本体部１２の外周部）には、ふんどし本体１２の長手方向に沿って延在する視覚遮断機能を持つひだ部１７ａ，１７ｂが設けられる。
【００４７】
ひだ部１７ａ，１７ｂは、ふんどしを締めた時に陰部が位置する（当接する）部分（図１中の参照符号１５）の、少なくともその両脇には必ず存在するものである。ただし、そのひだ部１７ａ，１７ｂは、前垂れとなる部分１４には設けられない。
【００４８】
したがって、ひだ部１７ａ，１７ｂは、ふんどし本体部１２の、前垂れとなる部分１４を除いた領域の、人の陰部が位置する部分１５の少なくとも両脇に設けられている、ということになる。
【００４９】
図中、参照符号１６ａ，１６ｂは、ひだ部１７ａ，１７ｂが設けられる可能性がある領域を示している。
（第２の実施形態）
【００５０】
図２（ａ）〜（ｄ）は、本考案のふんどしの一態様（越中ふんどしの本体部にギャザーを取り付けた例）を示す、ふんどしの平面図である。なお、図２において、図１と共通する部分には、同じ参照符号を付してある。この点は、以下の図面でも同じである。
【００５１】
本実施形態では、ギャザーを、ふんどし本体１２に取り付けることによって、視覚を遮断する機能を持つひだを形成する。ギャザーとは、「着衣用の細かなひだの部分」のことである。
【００５２】
本実施形態では、外付け用のギャザー（１８ａ，１８ｂ，１９ａ，１９ｂ）を用意し、そのギャザー（１８ａ，１８ｂ，１９ａ，１９ｂ）を、ふんどし本体１２に縫いつけるなどして取り付ける。ギャザーの素材、ひだの高さ等は適宜、選択、調整することができ、したがって、最適なひだ（視覚遮断機能を持つひだ）を容易に形成可能である。
【００５３】
図２（ａ）では、ギャザー（１８ａ，１８ｂ）が、ふんどし本体部１２の前垂れとなる部分１４を除いた部分の外周部（図１で示したように、陰部が位置する部分の両脇の部分を必ず含む）において、ふんどし本体部の長手方向と平行に取り付けられており、かつ、各ギャザー（１８ａ，１８ｂ）のひだは、外側に向いている。
【００５４】
参照符号１９ａ，１９ｂは、ギャザー（１８ａ，１８ｂ）が本体部１２に縫い合わされる部分（つまり、取り付け部分）を示している。この参照符号１９ａ，１９ｂは、図２（ｂ），（ｃ），（ｄ）でも共通に使用される。
【００５５】
図２（ｂ）でも同様に、ふんどし本体部１２の前垂れとなる部分１４を除いた部分の外周部において、ギャザー（１８ｃ，１８ｄ）が、ふんどし本体部の長手方向と平行に取り付けられている。ただし、図２（ｂ）では、ギャザー（１８ｃ，１８ｄ）のひだが、内側に向いている。
【００５６】
図２（ｃ）でも同様に、ふんどし本体部１２の前垂れとなる部分１４を除いた部分の外周部において、ふんどし本体部１２の長手方向に沿ってギャザー（１８ｅ，１８ｆ）が設けられている。
【００５７】
但し、各ギャザーは、長手方向と平行ではなく、紐部１０から前垂れとなる部分１４に向かって徐々に内側に向かうように、所定の角度をもって配設されている。所定の角度をもたせてギャザーを配置する場合の利点としては、ひだが陰部の近くに位置し、ひだが外から見えにくくなる点があげられる。また、図２（ｃ）では、ギャザー（１８ｅ，１８ｆ）におけるひだは、外側に向いている。
【００５８】
図２（ｄ）の場合、図２（ｃ）と基本的には同じであるが、ギャザー（１８ｇ，１８ｈ）のひだは、内側に向いている。
【００５９】
ギャザーのひだを内側に向けると、ふんどしを締めた時にひだが内側に巻き込まれ、ひだの立ちが悪くなるときがあるため、これを避けたい場合には、ギャザーのひだを外側に向けた状態にて、ふんどし本体に取り付けるのがよい。これによって、ひだによって陰部を覆い隠す効果が確実に得られる。
【００６０】
図３は、図２の越中ふんどしの視覚遮断効果を説明するための図（ふんどしを締めて、膝を深く曲げている人の下半身を真横から見た図）である。
【００６１】
図３に示すように、ギャザー１８（１８ａ〜１８ｈ）のひだによって、陰部の両脇が覆われている。したがって、ふんどしを締めた人が深く膝を曲げ、そのときにたるみＡが生じ、その状態で他人が横方向から見た場合でも、視覚はひだによって遮断され、陰部が見えることがない。したがって、本人は、他人の視線を気にせずに安心してふんどしを使用することができ、また、その本人の周囲に居る他人に、羞恥心や不快感をもたらせることもなくなる。
【００６２】
また、ひだの素材として、例えば、ふんどしと同じ素材を使用すれば、通気性を損なうことがなく、また、ふんどしを締めたときの感触（肌触り）も通常と変わりない。また、ひだの存在が締め具合に影響を与えることもない。また、ひだを、糸でふんどし本体に縫いつけるなどすれば、ひだの取り付け部にて違和感が生じることもない。
【００６３】
また、先に説明したように、ふんどしの種類は、特に問わない。つまり、本考案の技術思想は、越中ふんどしの他、六尺ふんどし、もっこふんどし（越中ふんどしを簡略化したもの）等に広く適用できる。また、病院では、体を動かすのがむずかしい患者のために、ふんどしを予め組み立てておき、パンツのように足だけを通すタイプのふんどし（ふんどしパンツと呼ばれることがある）が使用される場合があるが、本明細書でいう「ふんどし」には、このような、いわゆる「ふんどしパンツ」も含まれる。つまり、ベッドで寝たきりの患者にとっても、寝ている状態で、ふんどしパンツの横から陰部が見えるのは避けたいところであり、この場合も、ふんどし本体部の陰部の両脇にひだを付けることによって、他人の視線を確実に遮断することができる。
（第３の実施形態）
【００６４】
前掲の実施形態では、ギャザーをふんどし本体部に取り付けていたが、本実施形態では、ギャザーの代わりに細長いゴムを、ふんどし本体部に取り付け、そのゴムの収縮力によって、ふんどし本体部の外周部を縮れさせ、これによってひだを形成する。ギャザーを取り付ける場合と比べてコストの低減が可能であるという利点がある。また、ゴムの収縮力によって、ふんどし本体部の布を臀部や陰部に密着させ、たるみが減少する効果も得られる。
【００６５】
図４（ａ），（ｂ）は、本考案のふんどしの他の態様（越中ふんどしの本体部にゴムを取り付け、その収縮力によりひだを形成する例）を示す、ふんどしの平面図である。
【００６６】
図示されるように、越中ふんどしの本体部１２の前垂れとなる部分１４を除いた部分の外周部（長方形の布の長辺の近傍）には、ふんどし本体部１２の長手方向と平行に（図４（ａ））、あるいは、紐部１０の側から前垂れとなる部分１４に向かって徐々に内側に向かうように（図４（ｂ））、細長いゴム（２０ａ〜２０ｄ）が付設されている。
【００６７】
そして、このゴム（２０ａ〜２０ｄ）の収縮力（図中、この収縮力を矢印で示してある）
によって、ふんどし本体部１２の外周部が縮れ、これによって細かなひだ（２２ａ〜２２ｄ）が形成される。これによって、ギャザーを取り付けなくても、視覚遮断機能をもつひだの形成が可能となる。
【００６８】
ふんどし本体部１２の両脇に設けられる細長いゴム（２０ａ〜２０ｄ）は、図２（ａ）のように、ふんどし本体部１２の長手方向と平行に配置してもよく、あるいは、図２（ｂ）のように、紐部１０の側から前垂れに向かって徐々に内側に向かうように所定の角度をもって配置してもよい。
【００６９】
図２（ｂ）のように、ゴム（２０ａ〜２０ｄ）を所定の角度をもたせて配置する場合の利点としては、ひだ（２２ｃ，２２ｄ）となる布の面積が多くなって、陰部がより見えにくくなること、ならびに、ゴム（２０ａ〜２０ｄ）が、臀部や股のラインに沿って配置されるため、自然でスムースな（ごわごわしない）密着感を生じさせることである。
（第４の実施形態）
【００７０】
本実施形態では、ゴムとギャザーを併用する。つまり、ゴムとギャザーの一部が重ねられ、この状態にてふんどし本体に縫い合わされる。この場合、ゴムの収縮力によって、ギャザーが立ち、陰部を覆い隠す効果が高まる。また、ゴムの収縮力によって、ふんどし本体部の布を臀部や陰部に密着させ、たるみが減少する効果も得られる。
【００７１】
図５（ａ），（ｂ）ならびに図６（ａ），（ｂ）は、本考案のふんどしの他の態様（越中ふんどしの本体部に、ゴムとギャザーの一部を重ね、ゴムに沿って糸で縫い合わした例）を示す、ふんどしの平面図である。
【００７２】
図５（ａ），（ｂ）において、参照符号２０ａ，２０ｂはゴムであり、参照符号１８ａ，１８ｂは、ゴムと共にふんどし本体部１２に縫いつけられたギャザーである。ゴム（２０ａ，２０ｂ）とギャザー（１８ａ，１８ｂ）は、前垂れとなる部分１４を除く部分の外周部（長方形の布の長辺の近傍）において、ふんどし本体部の長手方向と平行に付設されている。
【００７３】
また、図５（ａ）では、ギャザー（１８ａ，１８ｂ）のひだは外側に向いており、一方、図５（ｂ）では、ギャザー（１８ａ，１８ｂ）のひだは内側に向いている。ひだを外側に向けた方が、ふんどし装着時に、ひだが巻き込まれる可能性が低くなる。
【００７４】
図６（ａ），（ｂ）では、ゴム（２０ｃ，２０ｄ）とギャザー（１８ｅ，１８ｆ）が、紐部１０から前垂れとなる部分１４に向かって徐々に内側に向かうように所定の角度をもって配置されている。図６（ａ）の場合、ギャザー（１８ｅ，１８ｆ）のひだは外側に向いており、図６（ｂ）では、ギャザー（１８ｇ，１８ｈ）のひだは内側に向いている。ひだを外側に向けた方が、ふんどし装着時に、ひだが巻き込まれる可能性が低くなる。
【００７５】
ゴム（２０ｃ，２０ｄ）とギャザー（１８ｅ〜１８ｈ）を所定の角度をもたせて配置することの利点としては、ゴムとギャザーが、臀部や股のラインに沿って配置され、自然でスムースな密着感が生じる点、これによって弛みを最小化できる点である。
（実施例）
【００７６】
木綿の布にて、長さ９５ｃｍ、幅３３ｃｍ、紐１２５ｃｍの越中ふんどしを作成し、前掲の各実施形態に記載されるとおりの方法によって、視覚遮断機能をもつひだを形成し、実際にふんどしを締め、種々の角度から観察したが、いずれの実施形態でも陰部が隠れて見えなかった。
【００７７】
また、ギャザーを使用する場合には、ギャザーの素材として、ふんどしと同じ木綿を使用したが、通気性を損なうことはなく、また、ふんどしを締めたときの感触（肌触り）も通常と変わりなかった。また、ひだの存在が締め具合に影響を与えることもなかった。また、ギャザーは、糸によってふんどし本体に縫いつけられており、このギャザーの取り付け部にて、特に違和感が生じることもなかった。
【００７８】
したがって、誰もが安心してふんどしを使用できることが立証された。また、作成に、特に手間取るということもなく、低コストで容易に作成ができた。したがって、本考案は、ふんどしの量産化にも適していることがわかった。
【００７９】
また、陰部の視覚を遮断するという点だけでなく、履き心地も考慮した場合、図６（ａ）のものが最も優れていた。ふんどしの弛みを少なくする効果、ギャザーのひだを立たせる効果によって、陰部に対する視覚を遮断する効果は抜群に高く、また、ゴムとギャザーが、臀部や股のラインに沿って配置されて、自然でスムースな密着感が生じ、履き心地も良かった。
【００８０】
以上説明したように、本考案によれば、古来より日本人に愛されてきたふんどしに関し、通気性が良く蒸れにくいという利点を損なうことなく、陰部が見えやすいという視覚上の問題を解消することができる。つまり、ふんどし本体部の、陰部が位置する部分の両脇にひだが設けられ、そのひだが他人の視覚を遮るため、ふんどしユーザが膝を曲げた状態でも、陰部が見えることがない。
【００８１】
これによって、本人は、他人の視線を気にせずに安心してふんどしを使用でき、また、その本人の周囲に居る他人に、羞恥心や不快感をもたらせることもなくなる。また、ひだの素材として、例えば、ふんどしと同じ素材を使用すれば、通気性を損なうことがなく、また、ふんどしを締めたときの感触（肌触り）も通常と変わりない。また、ひだの存在が締め具合に影響を与えることもない。また、ひだを、糸でふんどし本体に縫いつけるなどすれば、ひだの取り付け部にて違和感が生じることもない。
【００８２】
したがって、ふんどしの利便性が向上する。また、古き良き日本の伝統的下着としてのふんどしの普及に役立つ。
【００８３】
本考案は、越中ふんどしの他、六尺ふんどし、もっこふんどし（越中ふんどしを簡略化したもの）等に広く適用することができ、また、ふんどしを予め組み立てておき、パンツのように足だけを通すタイプのふんどし（ふんどしパンツ）にも適用することができる。
【００８４】
また、ふんどしのバリエーションを豊富化することができ、人の嗜好にマッチした、商品価値の高いふんどしを提供することができる。
【００８５】
また、外付けのギャザー、ゴム、あるいはギャザーとゴムの併用という、極めてシンプルかつ低コストの構成によって上記の効果を得ることができるため、実施が容易である。
【００８６】
また、ふんどし本体部の適切な位置にゴムを配置することによって、たるみを減らし、臀部や股部における布の密着度を増すことができ、ブリーフ等を履き慣れた者にとっても使用し易いふんどしを提供することができる、という効果も得られる。
【００８７】
本発明によって、通気性が良く蒸れにくいという、ふんどし本来の利点を損なうことなく、陰部が見えやすいという視覚上の問題を効果的に解消して、ふんどしの普及に貢献すること、また、ふんどしのバリエーションを豊富化して、ふんどしの商品価値を高めることができる。
【産業上の利用可能性】
【００８８】
本考案は、陰部が見えやすいという視覚上の問題を解消することができるという効果を奏し、したがって、ふんどし（越中ふんどし、六尺ふんどし、もっこふんどし等の各種のふんどしを含み、また、ふんどしを予め組み立てしたふんどしパンツも含むものとする）に、広く適用することができる。
【図面の簡単な説明】
【００８９】
【図１】本考案のふんどしの重要な特徴を説明するための図
【図２】（ａ）〜（ｄ）は、本考案のふんどしの一態様（越中ふんどしの本体部にギャザーを取り付けた例）を示す、ふんどしの平面図
【図３】図２に示される本発明の越中ふんどしの視覚遮断効果を説明するための図
【図４】（ａ），（ｂ）は、本考案のふんどしの他の態様（越中ふんどしの本体部にゴムを取り付け、その収縮力によりひだを形成する例）を示す、ふんどしの平面図
【図５】（ａ），（ｂ）は、本考案のふんどしの他の態様（越中ふんどしの本体部に、ゴムとギャザーの一部を重ねて、本体部の長手方向と平行に縫い合わした例）を示す、ふんどしの平面図
【図６】（ａ），（ｂ）は、本考案のふんどしの他の態様（越中ふんどしの本体部に、ゴムとギャザーの一部を重ねて、本体部の長手方向と所定の角度をなすように縫い合わした例）を示す、ふんどしの平面図
【図７】（ａ）〜（ｃ）は、越中ふんどしの外観ならびにその締め方を説明するための図
【図８】従来の越中ふんどしの視覚上の問題点を説明するための図
【符号の説明】
【００９０】
１０  紐部
１２  ふんどし本体部
１４  前垂れとなる部分
１５  陰部が位置（当接）する部分
１６ａ，１６ｂ  ひだ部が設けられる可能性がある領域
１７ａ，１７ｂ  陰部に対する視覚を遮断する機能をもつひだ部
１８ａ〜１８ｈ  ギャザー
１９ａ，１９ｂ  ギャザーの取り付け（縫い合わせ）位置
２０ａ〜２０ｄ  ゴム
２２ａ〜２２ｄ  ゴムの収縮力によって強制的に形成されるひだ
【図１】
0003118882.tif 000003
【図２】
0003118882.tif 000004
【図３】
0003118882.tif 000005
【図４】
0003118882.tif 000006
【図５】
0003118882.tif 000007
【図６】
0003118882.tif 000008
【図７】
0003118882.tif 000009
【図８】
0003118882.tif 000010